(57)【特許請求の範囲】
【請求項１】
ファン及びバーナーを有する乾燥装置と、バーナーを有する脱臭装置とを備え、
前記乾燥装置から乾燥した排気ガスを排気ファンで排出すること、
前記排気ファンからの排気を前記脱臭装置で脱臭すること、
前記脱臭装置で脱臭した浄化空気を循環風量調整ダンパーに供給すること、
前記循環風量調整ダンパーからの浄化空気を前記乾燥装置に循環させること、
少なくとも乾燥装置安定運転時に、前記乾燥装置のバーナーの出力設定値と前記循環風量調整ダンパーの開度設定値とを関連づけた表のデータに基づいて、前記乾燥装置のバーナーの火力及び循環風量調整ダンパーの開度を調整することにより、前記乾燥装置内の温度を制御し、前記乾燥装置を通過するウェブ上のインクを乾燥させることを特徴とするオフセット輪転機の排熱制御システム。
【請求項２】
前記乾燥装置安定運転時のバーナーの出力設定範囲を複数の範囲で多段階に分割し、当該それぞれの範囲に対して循環風量調整ダンパーの開度設定値が設定され、前記バーナーの出力に応じて前記循環風量調整ダンパーの開度を制御する請求項１のオフセット輪転機の排熱制御システム。
【請求項３】
前記乾燥装置の上流側に第１のバーナー、下流側に第２のバーナーを備え、前記第１のバーナーを前記バーナーの火力の調整の対象とする請求項１又は２のオフセット輪転機の排熱制御システム
【請求項４】
前記乾燥装置安定運転時における前記循環風量調整ダンパーの開度を、立上げ運転時における開度より低く設定する請求項１ないし３いずれかのオフセット輪転機の排熱制御システム。
【請求項５】
前記脱臭装置の立上げ制御において、前記循環風量調整ダンパーからの排気を前記脱臭装置に循環させる請求項１ないし４いずれかのオフセット輪転機の排熱制御システム。
【請求項６】
前記乾燥装置の立上げ制御において、前記循環風量調整ダンパーからの排気を前記乾燥装置に循環させる請求項１ないし５いずれかのオフセット輪転機の排熱制御システム。
【発明の詳細な説明】
【技術分野】
【０００１】
本発明は、オフセット輪転機の排熱制御システムに関し、特に、乾燥装置の乾燥ゾーンの温度制御を、乾燥装置からの排熱を有効利用して、印刷状況の変化があっても、印刷を好適に行うことを可能にしたものである。
【背景技術】
【０００２】
典型的なオフセット輪転機は、ロール紙（ウェブＷ）を供給する紙送りを起点として、ロール紙の搬送方向に沿って、墨、藍、紅、黄各色インクの印刷を割り当てられた４台１組の印刷部、インクを熱風乾燥及び脱臭する乾燥脱臭装置、ロール紙を冷却する冷却部、折り・断裁を行う折部で構成されており、印刷機で印刷されたウェブＷは、乾燥装置で熱風乾燥され、冷却ローラで冷却され、折り、断裁後、製本等の次工程に送られる。
【０００３】
乾燥装置でウェブＷを熱風乾燥させた空気は、気化したインク由来の有機溶媒や悪臭物質を含むことから、酸化触媒を通して処理するのが一般的である。この酸化触媒を通過した後の排気ガスは、２５０℃〜３５０℃程度と高温である。従来の乾燥装置は図８（ａ）に示す通り、バーナーで乾燥装置の熱源を供給していた。
【０００４】
特許文献１は、脱臭処理後の浄化空気を有効利用して、乾燥装置の熱エネルギーの消費量を低減できる印刷機の乾燥装置を提供する。印刷機の乾燥装置１０は、印刷紙に熱空気を供給して印刷インキの溶剤を乾燥させる乾燥手段２０と、乾燥手段２０から排出される気化した溶剤を含む排気ガスを酸化分解して浄化空気を外部へ排出する脱臭手段４０、脱臭手段４０の排気配管３４から分岐して乾燥手段２０に接続する還流配管６２を有し、脱臭手段４０から排出される浄化空気の一部を乾燥手段２０に還流する還流手段６０とを備えたことを特徴とする。
【先行技術文献】
【特許文献】
【０００５】
【特許文献１】実用新案登録第３１７８６７３号公報
【発明の概要】
【発明が解決しようとする課題】
【０００６】
図８（ｂ）に示す通り、特許文献１の発明は、印刷に必要なカロリーはバーナー２６にて供給し、排熱循環で熱量を供給しているが、基本的には、脱臭装置４０、循環配管６２、開閉ダンパー６４、流量調整ダンパー６６、バーナー２６を備え、単に、熱風の流量を循環させるだけである。
【０００７】
図８（ｃ）に示す通り、排熱の熱量が多いと、印刷に必要なカロリー余剰分をバーナー２６にて供給し、排熱からの熱量の余剰分が発生すると、印刷物が過剰乾燥となり、印刷物が不良となる。一方、図８（ｄ）に示す通り、排熱の熱量が少ないと、印刷に必要なカロリーが不足し、印刷物が未乾燥となり、製品の不良の原因となる。
【０００８】
特許文献１の発明は、乾燥装置のバーナーの出力と、流量調整ダンパー６６の開度が全く関連づけられておらず、また、開閉ダンパー６４と、流量調整ダンパー６６の開度調整の内容が不明である。流量調整ダンパー６６の開度調整と、バーナーの火力制御が実際には調和せず干渉を引き起こすおそれがある。そのため、乾燥ゾーンの温度制御と乾燥燃費の改善は極めて困難である。オフセット輪転機の脱臭乾燥装置排熱利用において、流量調整ダンパー６６の開度は決められた3段階の設定圧力で固定風量を乾燥ゾーンへ循環しているが、印刷状況により固定風量のままでは、排煙漏れや乾燥ゾーンやバーナーの温度制御が十分に有効利用できない、又印刷連続運転への立上げ時間が長い等、種々の問題が依然として残っている。
【０００９】
そこで、本発明は、乾燥装置の燃費削減を主目的としてなされたものであり、印刷に必要なカロリーを従来のバーナーに加えて排熱を有効利用し、印刷状況（印刷速度、印刷紙重量、インク塗布量など）の変化があっても印刷に影響なく排熱制御を行うことを可能にしたものである。また、その排熱循環は一定量の供給ではなく、バーナーの出力とともに乾燥装置へ熱風の循環風量を可変することである。最終的に印刷に必要なエネルギー調整はバーナーにて行うことを考慮するものである。このように、排熱を適切に循環させることにより、印刷物に悪影響を与えず、燃費を低減するシステムである。さらに、脱臭装置や乾燥装置の立上げ時間の短縮による燃費低減も目的とする。
【課題を解決するための手段】
【００１０】
上記の課題に鑑みて、本発明は、乾燥装置と脱臭装置とを備え、前記乾燥装置から乾燥した排気ガスを排気ファンで排出すること、前記排気ファンからの排気を前記脱臭装置で脱臭すること、前記脱臭装置で脱臭した浄化空気を循環風量調整ダンパーに供給すること、前記循環風量調整ダンパーからの浄化空気を前記乾燥装置に循環させること、少なくとも乾燥装置安定運転時に、前記乾燥装置のバーナーの出力設定値と前記循環風量調整ダンパーの開度設定値とを関連づけた表のデータに基づいて、前記乾燥装置のバーナーの火力及び循環風量調整ダンパーの開度を調整することにより、前記乾燥装置内の温度を制御し、前記乾燥装置を通過するウェブ上のインクを乾燥させることを特徴とするオフセット輪転機の排熱制御システムである。
【００１１】
また、循環風量調整ダンパーでは構造上細かい温度制御が出来ないことがあるので、循環風量調整ダンパー開度を多段制御として、乾燥装置の細かい温度制御（温度管理）をバーナーで制御させていることが特徴である。
【００１２】
前記バーナーの出力設定範囲を複数の範囲に分割することで、バーナーの出力設定値が多段階に設定され、当該バーナーの出力設定値に対して循環風量調整ダンパーの開度設定値が設定されていることが好ましい。印刷時に、前記バーナーの出力に応じて前記循環風量調整ダンパーの開度を制御する。
【００１３】
前記乾燥装置の上流側に第１のバーナー、下流側に第２のバーナーを備え、第１のバーナーを前記バーナーの火力の調整の対象とすることが好ましい。
【００１４】
乾燥装置安定運転時における前記循環風量調整ダンパーの開度を、乾燥装置立上げ運転時における開度より低くすることが好ましい。例えば、前記バーナーの出力設定値は、立上げ運転時に大きな火力、温調運転時にこれよりも、減少させた範囲の火力、安定運転時には、さらに低燃焼の火力に設定される。これに対応して、前記循環風量調整ダンパーの開度も、立上げ運転時に大きな開度とし、温調運転時には、これよりは減少させた範囲の開度とし、安定運転時にはさらに小さな開度とすることが好ましい。
【００１５】
乾燥装置の立上げ制御において、循環風量調整ダンパーからの排気を乾燥装置に循環させることが好ましい。乾燥装置の立上げ時は循環風量調整ダンパーを１００％開とするなど、安定運転時よりも開度を大きくすることが好ましい。立上げ時間は乾燥装置の使用状況により変わるが短時間（数秒〜数分）で所定の温度まで到達する。乾燥装置ウォーミング完了信号により乾燥装置のバーナーの出力設定値と、前記循環風量調整ダンパーの開度設定値とを関連を持たせて、バーナー出力に合わせて前記循環風量調整ダンパーが追従して制御される。
【００１６】
脱臭装置の立上げ制御において、循環風量調整ダンパーからの排気を全量（１００％）脱臭装置に循環させることが好ましい。
【発明の効果】
【００１７】
本発明のオフセット輪転機の排熱制御システムは、乾燥装置のバーナーの出力と、循環風量調整ダンパーの開度をともに制御し、関連付けて設定することができる。これにより、排熱制御を容易化し、乾燥装置の温度状況にあったダンパー開度で排熱を循環でき、印刷にも影響を与えず、排熱を一層有効利用することで、燃費を大幅に低減することができる。
【００１８】
前記排熱制御において、乾燥装置安定運転時のバーナーの出力設定範囲を複数の範囲で多段階に分割し、当該それぞれの範囲に対して循環風量調整ダンパーの開度設定値が設定され、前記バーナーの出力に応じて前記循環風量調整ダンパーの開度を制御するので、乾燥装置の温度状況に応じた精密な制御が可能となる。
【００１９】
乾燥装置の上流側に第１のバーナー、下流側に第２のバーナーを備え、前記第１のバーナーを前記排熱制御の対象とするので、必要性の高いバーナーに制御対象を絞ることで燃費の効率が高くなる。
【００２０】
印刷開始時の乾燥装置立上げ運転時における前記循環風量調整ダンパーの開度を、連続印刷時の乾燥装置温調運転時及び安定運転時における開度より大きくすることで、乾燥装置の立上げ時間を短縮することができ、燃費も一層低減できる。
【図面の簡単な説明】
【００２１】
【図１】本発明実施形態のオフセット輪転機の排熱制御システムの一実施形態を示すブロック図である。
【図２】本発明実施形態のオフセット輪転機の排熱制御システムのバーナー出力値とヒステリシスと循環ＣＤとの関係を示す図表である。
【図３】本発明実施形態のオフセット輪転機の排熱制御システムで当該制御を行った場合、当該制御を行わない場合との印刷安定時のガス消費量を比較した図表である。
【図４】本発明実施形態のオフセット輪転機の排熱制御システムで当該制御を行った場合、当該制御を行わない場合の立上げ時間とガス消費量を比較した図表である。
【図５】本発明実施形態のオフセット輪転機の排熱制御システムで当該制御を行った場合、当該制御を行わない場合のガス消費量の比較検証を示す図表、最終排気の紙の風量及び温度の図表である。
【図６】本発明実施形態のオフセット輪転機の排熱制御システムで立上げ制御を行った場合の乾燥装置２のタイムチャートである。
【図７】本発明実施形態のオフセット輪転機の排熱制御システムでの印刷紙データの図表である。
【図８】（ａ）〜（ｄ）は、本発明の課題を指摘する説明図で、印刷時の排熱リサイクル量を比較検証した図である。
【発明を実施するための形態】
【００２２】
≪排熱制御システム≫
本発明の好適な実施形態であるオフセット輪転機の排熱制御システムについて、図１〜図８を参照して以下に説明する。
【００２３】
本発明のオフセット輪転機の排熱制御システムの実施形態を添付の図面を参照しながら、以下詳細に説明する。図１に示す通り、この排熱制御システムは、印刷紙であるウェブに熱空気を供給して印刷インキの溶剤を乾燥させる乾燥装置２と、乾燥装置２から排出される気化した溶剤を含む排気ガスを酸化分解して浄化空気を外部へ排出する脱臭装置３と、循環風量調整ダンパー１０（以下、循環ＣＤ１０と略す。）、制御部１４を主な基本構成としている。
【００２４】
乾燥装置２から排出した排気ガスを排気ファン５で排出すること、排気ファン５からの排気を脱臭装置３で脱臭すること、脱臭装置３で脱臭した浄化空気を循環ＣＤ１０に供給すること、循環ＣＤ１０からの浄化空気を乾燥装置２に循環させること、印刷の開始時および連続印刷運転時に、乾燥装置２のバーナー２２ａの出力設定値と、循環ＣＤ１０の開度設定値とを関連を持たせて、乾燥ゾーンＤの排熱制御をすることを特徴とする。
【００２５】
なお、図１では排気ガスの流れを分かり易くするために、乾燥装置２と脱臭装置３とは、便宜上分離しているが、これらは一体形成されていることが好ましい。
【００２６】
≪オフセット輪転機≫
オフセット輪転機は、ウェブＷの回転によって連続的に繰り出されるウェブＷに対して、各色印刷、インク乾燥、インク定着及び冷却を順次行う機械であり、その下流には、ウェブＷの搬送方向に沿って、折り、断裁を行う折部（図示略）がある。
【００２７】
この印刷機は、墨、藍、紅、黄各色インクの印刷を割り当てられた４台の印刷ユニットをウェブＷの搬送方向に沿って直列に配置することで構成されている。各印刷ユニットは、図示しないインキつぼから版面へとインキを練りながら供給する複数のインキローラを備えている。複数のインキローラのうち所定のローラには、内部に冷水を通すための循環路が形成されている。
【００２８】
乾燥装置２の乾燥ゾーンＤは上流側のバーナー２２ａのあるゾーンＺ１と、下流側のバーナー２２ｂのあるゾーンＺ２の領域に分割され、印刷後のウェブＷの搬送通路を覆うケーシング２０と、インバータ２１ｃ，２１ｄを備えたファン２１ａ，２１ｂと、バーナー２２ａ，２２ｂと、バーナー２２ａ，２２ｂの付近（ここではバーナー２２ａ，２２ｂからノズル２３ａ，２３ｂに至る経路）に設けた熱電対２２ｃ，２２ｄと、ウェブを乾燥するためのノズル２３ａ，２３ｂを主な基本構成としている。ファン２１ａ，２１ｂは、ケーシング２０内の空気を吸い込む吸込口を備えている。ファン２１ａ，２１ｂに吸い込まれた空気は、それぞれ、バーナー２２ａ，２２ｂへと供給され、そのときの送風圧が設定値を超えたか否かを圧力スイッチ２１ｅ，２１ｆで検出する。バーナー２２ａ，２２ｂはケーシング２０内の空気を所定温度、一例として、２００℃に加熱して、熱空気を生成してノズル２３ａ，２３ｂへ供給している。バーナー２２ａ，２２ｂから出るガスの温度を熱電対２２ｃ，２２ｄで検出する。その印刷紙通路の上側と下側に、その印刷紙通路に向けて加熱空気を吹き出す複数のノズル２３ａ，２３ｂを、その印刷紙通路を挟んで千鳥状に配列している。ノズル２３ａ，２３ｂに供給口を設け、供給口に加熱空気を供給する加熱空気循環路を設けている。また、ノズル２３ａ，２３ｂのそれぞれの端部に加熱ノズル２３ｃを備えている。さらに、乾燥装置２の内部には複数個所にウェブＷの紙面温度を検出するＺ１紙面温度センサ３６、Ｚ２紙面温度センサ３７、乾燥装置２の出口付近には出口紙面温度センサ３８を設けてある。
【００２９】
乾燥装置２は、図１に示すように、印刷部と冷却装置（図示略）との間に配置され、箱形の乾燥ゾーンＤ、乾燥ゾーンＤと連通する箱形の冷却ゾーンＣを設けている。細長直方体形状の乾燥ゾーンＤは、ウェブ導入口２４側を占有し、冷却ゾーンＣは出口側２５を占有している。乾燥ゾーンＤの長さは印刷速度・紙幅により長さが決まる。乾燥ゾーンＤの容積は冷却ゾーンＣの容積よりも大きく設定されている。乾燥ゾーンＤはゾーンＺ１、ゾーンＺ２に分かれていて、ゾーンＺ１にはファン２１ａ、バーナー２２ａ及びノズル２３ａがあり、ゾーンＺ２にはファン２１ｂ、バーナー２２ｂ及びノズル２３ｂがある。ウェブ通過口２７は、印刷紙通路が貫通する横長長方形状である。乾燥装置２は、前端壁に横長長方形状のウェブ導入口２４を、後端壁に横長長方形状のウェブ排出口２５を設け、ウェブ導入口２４からウェブ排出口２５にかけて前後方向にウェブＷの印刷紙通路を形成している。
【００３０】
ファン２１ａ，２１ｂとバーナー２２ａ，２２ｂは印刷物の大きさ・種類などによって、ケーシング２０内に複数台取り付けることができる。本実施形態の乾燥装置２は、一例として、ケーシング２０内にファン２１ａ，２１ｂとバーナー２２ａ，２２ｂを２対取り付けている。ケーシング２０には、印刷紙を乾燥する際に発生するインキ中に含まれる気化した溶剤を含む排気ガスを脱臭装置３に排出する排気配管４が接続している。このような構成の乾燥装置２は、印刷時、乾燥ゾーンＤによりケーシング２０内に導入されたウェブＷに対し、上下面から所定温度の熱空気を吹きつけて、印刷物を乾燥させ、冷却ゾーンＣに導入されたウェブＷに対し、上下面から低い温度の熱空気を吹きつける。
【００３１】
乾燥装置２は、乾燥ゾーンＤと、冷却ゾーンＣは隔壁２６で分割されており、隔壁２６には、ウェブ通過口２７を設け、連通する。脱臭装置３からの循環される浄化空気が冷却ゾーンＣへ供給可能であるが、冷却ゾーンの冷却効果を高める時は熱風を供給しない。冷却ゾーンＣには、インバータ２８ａを備えたファン２８と、ノズル２９が配置され、ファン２８から出る送風圧が設定値を超えたか否かを圧力スイッチ２８ｂで検出し、熱空気温度を熱電対２８ｃで検出する。
【００３２】
乾燥装置２から排出される排気ガスは、排気配管４、排気ファン５、熱交換器６を経て、脱臭装置３に供給される。脱臭装置３から排出される脱臭後の浄化空気は、浄化空気配管７へ排出される。排気ファン５には、インバータ５ａと排気送風圧力が設定値を超えたか否かを検出する圧力スイッチ５ｂを設けている。浄化空気配管７を含む浄化空気ルートは排熱循環回路を構成する。浄化空気配管７からの浄化空気は熱交換器６を経て配管８で外部に排気されるか、または排熱循環され、分岐配管９を経て一部の浄化空気はコントロールモーター１０ａを備えた循環ＣＤ１０に循環され、エアーシリンダー１１ａを備えた循環切替ダンパー１1（以下、循環ＳＤ１１という。）に供給される。この循環ＳＤ１１に配管１２及び配管１３が接続されていて、配管１２又は配管１３のいずれかに切り替えが可能となっている。
【００３３】
この配管１２の浄化空気は、排気配管４の排気ガスと合流する。配管１３の浄化空気は乾燥ゾーンＤのゾーンＺ１に循環される。
【００３４】
脱臭装置３は、バーナー３０と触媒部３１を主な基本構成としている。バーナー３０と触媒部３１は排気配管４に接続するケーシング３２に取り付けている。脱臭装置３は、排気流れに沿って、臭気を触媒反応に適した温度まで加熱するバーナー３０、白金系の金属触媒を多孔質担体に担持させた触媒部３１を備えている。触媒部３１の両側領域には熱電対３３，３４が配置されて、排気ガスの温度を計測する。熱電対３３は触媒部３１の前の排気ガスの温度を検出して臭気を触媒反応に適した温度制御をするもので、熱電対３４は触媒部３１の後の浄化空気の温度を検出して触媒の反応熱を測定するものであり、圧力スイッチ３５は、触媒部３１前後の圧力差が設定値を超えたか否かを検出ものである。これらの熱電対３３、３４、圧力スイッチ３５の計測結果は制御部１４に入力される。
【００３５】
バーナー３０は排気ガスをバーナーで所定温度（一例として３５０℃）まで加熱している。触媒部３１は、加熱された排気ガスを触媒による酸化反応により溶剤を酸化して、脱臭処理を行っている。触媒は、一例として、白金（Ｐｔ）を担持した白金触媒等を用いることができる。脱臭処理した後の浄化空気は、浄化空気配管７、熱交換器６を通過して外部へと排気される。
【００３６】
排気ファン５は、乾燥装置２から排出される排気ガスを、排気配管４を介して脱臭装置３へ供給するものである。排気ファン５の風量制御は印刷条件（印刷速度、印刷紙重量、インク塗布量など）により運転周波数は可変にすることで、脱臭装置３へ供給される風量を制御できる。
【００３７】
熱交換器６は、材質にステンレス鋼などを用い、排気ガスの受熱通路と、浄化空気の排熱通路を備えている。受熱通路は乾燥装置２から排出された排気ガスの排気配管４上に形成されている。
【００３８】
熱交換器６は、脱臭装置３の脱臭工程で加熱された浄化空気が排熱通路を通過することによって熱交換器本体に高温の浄化空気の熱エネルギーが蓄熱される。そして、排気ガスが受熱通路を通過すると浄化空気と排気ガスの熱交換が行われて、排気ガスを所定温度に加熱することができる。脱臭装置３のバーナー３０で必要となる熱エネルギーを低減することができる。
【００３９】
排熱循環回路は、浄化空気配管７、配管８、分岐配管９、循環ＣＤ１０、循環ＳＤ１１、配管１２、配管１３、制御部１４を主な基本構成としている。
【００４０】
分岐配管９には、配管上に循環ＳＤ１１を取り付けている。循環ＣＤ１０は、分岐配管９を流れる浄化空気の流量を制御可能な弁である。循環ＳＤ１１は脱臭装置３に浄化空気を循環しているか、あるいは、乾燥ゾーンＤのゾーンＺ１へ浄化空気を戻すかの切替を行っている。詳細は後述する。
【００４１】
制御部１４は、オフセット輪転機の乾燥脱臭装置１の全ての動作を制御している。乾燥装置２の温度管理は熱電対２２ｃ，２２ｄ，２８ｃで管理されている。脱臭装置３の温度管理は熱電対３３，３４で管理されている。温度管理の制御はバーナー２２ａ，２２ｂへ燃料ガスを供給する装置（図示略）、循環ＣＤ１０、循環ＳＤ１１等と電気的に接続し、制御信号を送信しバーナー２２ａ，２２ｂなどの出力制御を行っている。風量管理の制御は、インバータ２１ｃ，２１ｄ，２８ａ，５ａで周波数を送信してファン２１ａ，２１ｂ，２８，５を制御している。圧力スイッチ２１ｅ，２１ｆ，２８ｂ，５ｂ，３５で圧力の管理を行い、異常を検知している。
【００４２】
≪排熱制御≫
ところで、オフセット輪転機の脱臭乾燥装置の排熱制御において、浄化空気をゾーン１に循環させるとき、バーナー２２aと循環ＣＤ１０を関連付けないままでは、印刷状況（印刷速度、印刷紙重量、印刷紙水分量、インク塗布量など）により、排煙漏れや温度制御不良が発生する。例えば、乾燥ゾーンＤのバーナー２２ａの設定温度を１２０℃として印刷乾燥温度制御したときに、バーナー２２aと循環ＣＤ１０を個別に制御をしてしまうとバーナー２２ａと循環ＣＤ１０が干渉して温度制御不良が発生する。特に設定温度より上がる傾向にある。そこで、干渉による制御の不都合を解消することを目的として、脱臭装置の排熱を循環供給する循環ＣＤ１０を可変制御させる設定温度をバーナー２２ａの制御設定値よりも温度値で常に５℃低く設定し１１５℃としたが、結果的には、循環ＣＤ１０の開度はほとんど全閉（開度がゼロ）で浄化空気を供給しなくなってしまい、排熱利用がされなかった。このように、バーナー２２ａと循環ＣＤ１０のそれぞれの制御を関連付けずに別々で行ってしまうと十分な効果が得られなかった。
【００４３】
そこで、これらの不都合を解消するため、制御部１４における、排熱制御システムの好適な排熱制御を行ったので、その構成を説明する。
【００４４】
図６に示す通り、オフセット輪転機の乾燥装置２の排熱制御については、脱臭装置待機運転時（印刷停止時）、乾燥装置立上げ運転時（印刷準備時）、乾燥装置温調運転時（印刷開始時）及び乾燥装置安定運転時（連続印刷運転時）に分けて制御を分割させた。まず、脱臭装置待機運転時（印刷停止時）と乾燥装置立上げ運転時（印刷準備時）ではポジション制御を行う。又、ゾーンＺ１では熱風制御と紙面制御とがあり、紙面制御はドライヤーのウォーミングが完了し遅延タイマーのタイムアップ後に遷移する。熱風制御とは、バーナー２２ａ，２２ｂ下部に設置している熱電対である熱電対２２ｃ，２２ｄが一定温度範囲になるようにバーナー２２ａ，２２ｂを制御する。紙面制御とは、Ｚ１紙面温度センサ３６で紙の温度を検知し、この温度が一定範囲になるようにバーナー２２ａを制御している。ここでは、熱風制御のためのバーナー２２ａの実際の温度域は、２００〜２３０℃で使用し、バーナー２２ｂの実際の温度域は、１８０〜２００℃で使用している。この温度域は任意に設定でき（可変とすることが可能）、その設定温度に近づくようにバーナー２２ａ，２２ｂの温度制御を行う。紙面制御の実際の温度域は、１００〜１２０℃で使用し、上述と同じように、温度域は可変でき、その設定温度に近づくようにバーナー２２ａ，２２ｂの温度制御を行う。
【００４５】
バーナー２２ａ，２２ｂの出力設定値は、０から１００％で設定・制御されるようになっている。図６に示す通り、乾燥装置２が運転を開始し、昇温を始め、循環ＣＤ１０の開度ポジションは１００％開の状態となり、乾燥装置２のウォーミング完了になった時点で、熱量は十分となり、循環ＣＤ１０の開度のポジションは乾燥装置温調運転時（印刷開始時）には５〜３０％、乾燥装置安定運転時（連続印刷運転時）には０〜３０％の範囲で自動制御される。
【００４６】
乾燥装置立上げ運転時（印刷準備時）、乾燥装置温調運転時（印刷開始運転）及び乾燥装置安定運転時（連続印刷運転時）では、循環ＳＤ１１により配管１３に切り替えることにより、また、循環ＣＤ１０を動作させ開度調整を行い、脱臭装置３で脱臭処理された浄化空気が熱交換器６、分岐配管９を経て乾燥ゾーンＤのゾーンＺ１（入口側領域）に循環する風量を調整することにより、ゾーンＺ１の温度制御を行う。
【００４７】
バーナー２２ａの出力値は、乾燥装置の立上げ運転時（印刷準備時）に大きな火力、乾燥装置温調運転時（印刷開始時）及び乾燥装置安定運転時（連続印刷運転時）はこれよりも減少させた範囲の火力となる。これに対応して、循環ＣＤ１０の開度も、昇温中に大きな開度とし、印刷中はこれよりは減少させた範囲の開度とすることが例示される。例えば、ゾーンＺ１に設けたバーナー２２ａの設定出力値の範囲が大きくなるにしたがって、循環ＣＤ１０の開度設定値（単位は％であり、全開を１００％とする。）が大きく設定されている。バーナー２２ａのポジションは１００％に設定し、これにより、立上げ時間が短縮されるとともに、燃費の改善できる。
【００４８】
脱臭装置３の立上げ時は、循環ＳＤ１１が脱臭側に切替わり、脱臭装置３の立上げ時間の短縮と燃費削減を実施する。脱臭装置３からの排気は浄化空気配管７、熱交換器６、分岐配管９、循環ＣＤ１０、循環ＳＤ１１、排気ファン５、熱交換器６、脱臭装置３の閉サイクルで循環される。
【００４９】
脱臭装置３の運転ボタンをＯＮし、脱臭装置３だけを起動し、脱臭装置３のバーナー３０だけを着火し、立上げ運転の準備完了の温度域まで到達させる。循環ＳＤ１１は脱臭側に切り替えられていて、配管１２に風量の全量を循環し、配管１３への熱風は全閉である。また、循環ＣＤ１０は１００％の開度である。脱臭装置の触媒後温度が２５０℃になると脱臭装置３のウォーミングが完了となり、触媒前温度が３００℃で温度調整され、触媒後温度は２５０℃以上に維持されている。ドライヤー運転信号が来るまで循環ＣＤ１０は３０％開度で待機運転となり、循環ＳＤ１１は配管１２に切り替えた状態を維持する。
【００５０】
脱臭装置３の立上げ運転の準備完了になってドライヤー運転信号が入力されると、乾燥装置２が起動しウォームアップする。このタイミングから循環ＳＤ１１は配管１３側に切替り、循環ＳＤ１１は配管１３に切替った状態を維持する。乾燥装置２の立上げ運転時には、ゾーンＺ１のバーナー２２ａは設定温度に向け、１００％の出力設定値とする。循環ＣＤ１０はポジション制御を行い、１００％開度でゾーンＺ１へ浄化空気を循環する。脱臭装置３のウォーミングが完了して初めて乾燥装置の立上げ運転を実施することによって乾燥装置２の立上げ時間の短縮と燃費削減を実現する。
【００５１】
乾燥装置２がウォーミング完了（準備完了）になると、印刷が開始される。印刷開始時、印刷機２００ｒｐｍ以上の運転信号受信後、ゾーンＺ１の紙面切替タイマーがカウントダウンし、所定時間（たとえば、１０秒）経過したら、ゾーンＺ１は熱風制御から紙面制御に切替わる。乾燥装置温調から乾燥装置安定運転に遷移し、ゾーンＺ１のバーナー２２ａ出力値は、乾燥装置温調時に約１０〜５０％で乾燥装置安定運転時が約１〜５０％の範囲で温度調整が行われる。循環ＣＤ１０は自動制御に切替りゾーンＺ１へ循環する。ウェブＷを送って印刷していても、この排熱制御はそのまま続行し、立上げ運転から連続印刷運転時も継続して、配管１３から循環を行う。
【００５２】
図６中、曲線は紙面温度の実測値である。脱臭装置待機運転時には紙面温度は常温（２５℃）であり、乾燥装置立ち上げ後、紙面温度は上昇し、乾燥装置のウォーミング完了時には約１１５℃になる。完了温度（１２０℃）到達後、温度はピーク値となるが、２２ａの出力が絞られるため、温度は若干下がり、その後温度がしばらく上下した後、安定運転に遷移する。
【００５３】
乾燥装置安定運転時、運転中に起こるバーナー不制御や排煙漏れ等の問題点を循環ＣＤ１０の多段階制御により解決している。バーナー２２ａはゾーンＺ１紙面制御を継続する。循環ＣＤ１０は、バーナー２２ａのバーナー出力値に対して多段制御を行っている。
【００５４】
乾燥装置安定運転時にはバーナー２２ａの出力値は１〜５０％の範囲に制御される。循環ＣＤ１０の出力値は０〜３０％の範囲に自動制御される。図２に示す通り、バーナー２２ａの出力設定範囲を複数の範囲に分割し、当該複数の範囲のそれぞれに対して、循環ＣＤ１０の開度が多段階に設定されている。例えば、バーナー２２ａの出力値が１２．５以下のときには循環ＣＤ１０の開度が０％、１５.０〜１２.５のときに５％、・・・のように設定することが例示される。循環ＣＤ１０からも好適な浄化空気を乾燥ゾーンＤに供給される。
【００５５】
バーナー２２ａは熱電対２２ｃにて設定温度（具体的に２００〜２３０℃）になるように、バーナー２２ａに付属しているバーナーコントロールモーター（図示略）で増減させる。例えば、設定温度２００℃に対し、現在温度が１９９℃であると、設定温度に近づいているので、バーナー２２ａは低出力（低燃焼）の方向に移行する。逆に、設定温度２００℃に対し、現在温度が１００℃であると、温度差が１００℃もあるので、バーナー２２ａは１００％出力（高燃焼）の方向に移行する。バーナー２２ａでの熱風制御の時は、熱電対２２ｃの検出温度が設定温度になるように、また、紙面制御の時は、紙面温度が設定温度になるように、その時の、バーナー出力値（０〜５０％）に関連して循環ＣＤ１０の開度を変化させていくことになる。
【００５６】
図２に示す通り、制御部１４において、記憶領域には、バーナー２２ａの出力値を複数の領域に分割し、これに対応して循環ＣＤ１０の開度の設定値に設定されたテーブルが設けてある。循環ＣＤ１０の開度設定値の最大値（ＭＡＸ）は３０とした。これは、浄化空気を乾燥装置２に過剰に供給してしまうと、外気を入れるところからガスが噴き出し、吸込口から吸ってしまい、乾燥装置２からガスがあふれて、風量のバランスが崩れ排煙が生じる可能性があるので、この排煙漏れを防止するためである。
【００５７】
図２でいうヒステリシスとは、バーナー２２ａの下限出力に対する循環ＣＤ１０への動作遅延である。例えば、バーナー２２ａの出力が下がり、１２.５％に到達時点では循環ＣＤ１０の開度は５％の出力である。更にバーナー２２ａの出力が１２．５−１＝１１．５％になった時点で循環ＣＤ１０の開度は０％の出力になる。その後、再びバーナー２２ａの出力が１２．５％になると循環ＣＤ１０の開度は５％の出力になる。
【００５８】
循環ＣＤ１０の可変量を５、１０、１５％にて制御を行った際、５％の可変量では紙面温度に影響はほとんど無かった。１０％の可変量で紙面制御を行うと１℃変化し、所定の温度に戻るまで約４分かかった。１５％の可変量で紙面制御を行うと２℃変化し、所定の温度に戻るまで約６分かかった。よってダンパーの可変量は５％とした。バーナー２２ａの低出力時に排熱循環を供給すると温度制御ができなくなる可能性を考慮して、バーナー出力が１２．５％以下で循環ＣＤ１０は０％とした。
【００５９】
バーナー２２ａは排出する排気ガス温度を熱電対２２ｃの温度検出を参照して、乾燥装置２の内部温度が１２０℃になるように自動制御しているので、その自動制御に対応して、バーナー２２ａの出力値に対応した循環ＣＤ１０の開度を決定し、それらを細かく関連づけている。たとえば、バーナー２２ａの出力が絞り始めたら、減少させ、バーナー２２ａの出力が増加し始めたら、増加させるというように制御を行う。このような小刻みな制御により、乾燥装置２の温度状況に応じて適切に循環ＣＤ１０から浄化空気を供給するようになり、適切な温度制御が行え、燃費が低減できる。
【００６０】
乾燥ゾーンＤでは、脱臭装置３からの浄化空気が循環ＣＤ１０を介して配管１３から供給される。さらに図示は略すが浄化空気を加熱ノズル２３ｃから合わせて供給を受けることが出来る。
【００６１】
なお、ゾーンＺ１、２のそれぞれのバーナー２２ａ，２２ｂの両方について制御を行ってもよいし、燃料を多く消費するゾーンＺ１のバーナー２２ａだけを制御してもよい。上流から印刷した未乾燥のウェブＷが流れてくるが、これは温度でいうと冷たい状態であるので、ゾーンＺ１のバーナー２２ａの方がバーナー２２ｂよりも燃料を多く消費する。ゾーンＺ２のバーナー２２ｂは、温めて乾燥しつつ定着させるゾーンであるので、どちらかというと低燃焼である。
【００６２】
バーナー２２ａ，２２ｂの火力制御については、燃料ガスと空気の混合気であるガスの量をガス供給管路（図示略）に配置された制御ダンパ（図示略）で制御している。たとえば、バーナー２２ａについて、設定温度１５０℃で現在値が１００℃とすると、５０℃の温度が足りないので、バーナー２２ａの火力を強くするように制御し、これに対応して、循環ＣＤ１０の開度を増やすことになる。
【００６３】
≪印刷乾燥動作≫
オフセット印刷機の上記排熱制御を除いたその他の印刷乾燥動作について補足説明する。図１に示す通り、印刷運転時には、乾燥装置２のケーシング２０内をウェブＷが所定速度で通過している。乾燥装置２では、ケーシング２０内の空気がファン２１ａ，２１ｂに吸い込まれてバーナー２２ａ，２２ｂに供給されて、インキの乾燥に適した所定温度（一例として、２００℃）に加熱されている。加熱された熱空気がノズル２３ａ，２３ｂを介してウェブＷの上下面に吹き付けられる。ウェブＷに印刷されたインキの溶剤が熱空気によって加熱されて気化する。
【００６４】
乾燥ゾーンＤにおいて、内部空気はファン２１ａ，２１ｂからバーナー２２ａ，２２ｂによって加熱されて上下の多数のノズル２３ａ  ２３ｂに充満した熱気は所定の圧力をもってウェブＷの両紙面に噴射され、紙面に含まれる水分と塗布された印刷インキが乾燥する。紙面に吹き付けられた熱風はファン２１により循環されてバーナー２２によって印刷紙の乾燥により失われた熱分を再び加熱さえて加熱ノズル２３ａ，２３ｂから噴射される。
【００６５】
冷却ゾーンＣには、バーナーはなく、内部が非加熱区域となる。帯状のウェブＷは、乾燥ゾーンＤを通過した後、引き続いて、ウェブ通過口２７を経て冷却ゾーンＣを通過する際に冷却され、ウェブ排出口２５を経て冷却装置（図示略）に送られる。そして、冷却装置（図示略）の複数の冷却ローラを順次通過し、さらに冷却される。冷却装置（図示略）を通過したウェブＷは、折機（図示略）に送り込まれ、折り畳まれる。
【００６６】
乾燥ゾーンＤ及び冷却ゾーンＣにおいては、内部の溶剤蒸気を含む加熱空気を脱臭装置３で脱臭して一部を大気に放出し、一部の浄化空気を乾燥装置２に循環させる。
【００６７】
乾燥ゾーンＤにおいては、内部の加熱空気の一部が放出され、内部が負圧になる。負圧の乾燥ゾーンＤには、ウェブ導入口２４から外部の新鮮空気が流入すると共に、ウェブ通過口２７から冷却ゾーンＣ内部の非加熱空気が流入する。冷却ゾーンＣは、内部の非加熱空気の一部がウェブ通過口２７から流出し、内部が負圧になる。負圧の冷却ゾーンＣには、ウェブ排出口２５から外部の新鮮空気が流入する。印刷時、冷却ゾーンＣにおいては、バーナーがなくてファン２８を回しているだけであるので、温度は６０℃から９０℃くらいである。
【００６８】
乾燥装置２を運転するときは、乾燥ゾーンＤのファン２１ａ，２１ｂとバーナー２２ａ，２２ｂを作動し、冷却ゾーンＣのファン２８を作動する。乾燥脱臭装置１を作動すると、乾燥装置２を通過するウェブＷは、乾燥ゾーンＤの印刷紙通路を走行し、ウェブ導入口２４、ウェブ通過口２７、冷却ゾーンＣ、ウェブ排出口２５を順次通過する。
【００６９】
ウェブＷは、乾燥ゾーンＤを順次通過する際、上面と下面に多数のノズル２３ａ，２３ｂから加熱空気を吹き付けられ、紙面に含まれる水分と上面と下面に塗布された印刷インキの溶剤が蒸発し、上面と下面の印刷インキが乾燥する。また、ウェブＷは、ウェブ導入口２４通過時には温度が室温位であり、乾燥ゾーンＤの加熱空気中を通過して、温度が上昇し、高温になる。
【００７０】
乾燥ゾーンＤから上面と下面に印刷インキの溶剤蒸気を伴った状態でウェブ通過口２７を経て高温状態で通過したウェブＷは、冷却ゾーンＣを通過する際、上面と下面に多数のノズル２９から非加熱空気を吹き付けられ、上面と下面に随伴する印刷インキの溶剤蒸気が剥ぎ取られ、温度が下降する。ウェブＷは、ウェブ排出口２５通過時には、ウェブ通過口２７通過時より、温度が低下する。ウェブＷは、冷却ゾーンＣの非加熱区域を通過して冷却される。
【００７１】
ウェブＷに吹き付けられた熱風により蒸発したインク溶剤を含む有害な臭気は、対流効果によって乾燥ゾーンＤ内を上昇し排気口から排気配管４を経て排出される。排出された臭気は、排気ファン５によって熱交換器６を通過し、臭気の温度が低い場合はバーナー３０で加熱し、適切な温度に加熱されたうえで多孔質の触媒部３１内を通る。通常の印刷時は、触媒の種類にもよるが、３２０℃〜３５０℃範囲で脱臭処理する。制御部１４で脱臭装置３の温度を制御することで、排気ガスから臭気を除去する処理行っている。この過程で臭気は、触媒酸化反応によって分解され無害化されるが、同時に反応熱（燃焼熱）を発生することから無害化された排気自体の温度も上昇する。
【００７２】
印刷が終了すると印刷信号もＯＦＦとなり、乾燥装置２は停止する。このタイミングで循環ＳＤ１１は配管１２側に切替わる。脱臭装置３を停止動作する。所定温度の温度になったら全停止となる。停止時にはスタートとは逆の操作をする。印刷再開の場合、最初に戻り、バーナー２２ａと循環ＣＤ１０の連動で再度立上げを行う。
【００７３】
≪排熱制御システムの測定・検証≫
上記排熱制御システムの省エネルギーの有効性を測定・検証したので、説明する。印刷内容、印刷紙、印刷回転数、乾燥装置２の設定値（温度・風量）は同一条件にて、排熱制御をＯＮ・ＯＦＦさせた時のデータを測定し、ガス消費量、立上げ時間等の比較を行った。
【００７４】
図３、図４に示す通り、排熱制御のＯＮ・ＯＦＦによるガス消費量の比較を行った。乾燥装置２立上げ時間とは、乾燥装置２起動から立上げ運転の完了までの時間である。図３に示す通り、印刷連続運転時の安定印刷時の削減率は９％となった。図４に示す通り、立上げ時間では５４％の削減率となった。
【００７５】
図７に示す多段制御設定値を検証すると、計画値にて排熱制御をＯＮさせたらマット紙・コート紙共に、ゾーンＺ１紙面制御時のバーナー２２ａの開度は、概して２０．０〜３０．０％の開度で安定しており、循環ＣＤ１０開度は所定値で最低開度にはならず自動にて制御を行っていた。循環ＣＤ１０の開度の最大値開度を４０％にしたら乾燥装置２の入口より、微かに排煙洩れが発生したので、３０％が適切と考えられる。ここでいう多段制御とは、ゾーンＺ1のバーナー２２ａの出力値に応じて、循環ＣＤ１０の開度が変動することをいう。
【００７６】
図３に示す通り、連続印刷時の安定印刷時のガス消費量の排熱制御のＯＮ・ＯＦＦを比較すると、時間当たりのガス消費量が１．４m３/Hrであり、９％も削減効果があった。
【００７７】
図４に示す通り、乾燥装置２の立上げ時間とガス消費量の比較を示すデータによれば、立上げ時間が１３秒（約２０％）短縮され、ガス消費量も５４％の削減効果があった。
【００７８】
図５に示す通り、最終出口からの排気風量測定値より、排熱制御ＯＮ/ＯＦＦによる削減熱量を算出した。上記より、ガス削減量の測定値と最終排気風量による削減熱量の計算結果は同等で整合性はとれていた。また、最終排気と紙の風量及び温度は適切であった。
【００７９】
上記の図３、図４の測定結果、図５のガス消費量の比較の検証により、排熱循環は省エネルギーに対して有効であることが確認された。多段制御設定値については、計画値にて自動制御出来た。なお、バーナー２２ａが同じバーナー開度でも燃焼量が大きい機種の場合、多段制御設定値については変更する必要があると考えられる。
【００８０】
図７に示す通り、多段制御の設定値において、印刷条件毎の循環ＣＤ１０が最適に自動制御される設定値を検証するため、印刷紙種類別のデータを測定した。測定値の所見としては、マット紙とコート紙のゾーンＺ１の熱風温度PV値において、同じ紙面温度設定値（１２５℃）なのにマット紙の方の温度が高くなっているのは、印刷回転数と紙坪量の差異によるものと考えられる。印刷回転数と紙坪量を考慮し必要エネルギーを算出すると、マット紙はコート紙より50,024Kcal/Hr多く、より多くのエネルギーが必要となる。表中、ＳＰは設定値で、ＰＶは現在値（測定値）になる。マット紙システムONの場合、Ｚ１、Ｚ２の各ゾーンのバーナー２２ａ，２２ｂは紙面温度又は熱風温度にて制御出来る様になっている。今回の測定では、Ｚ１は紙面温度にてバーナー制御させたので、設定値(ＳＰ)１２５℃に対して、その結果、現在値(ＰＶ)は１２５℃となり正常に制御出来ていた。その時の熱風温度は、紙面温度にてバーナー制御しているので、設定値(ＳＰ)は１８０℃であるが、現在値(ＰＶ)は成行きの温度となり、その結果、２２２℃であった。冷却ゾーンＣ（ＣＺ）の熱風温度は、設定値(ＳＰ)３０℃であるが、印刷中は熱風を冷却ゾーンＣ（ＣＺ）へ戻していないので（出力:−３．０％）、現在値(ＰＶ)は成行きの温度となり、その結果、９２℃であった。出口紙面温度は、温度制御していないので、現在の温度値(ＰＶ)は成行きの温度となり、その結果、１１６℃であった。周波数の欄、Ｚ１，Ｚ２，ＣＺ，及び、ＦＣは、それぞれ、ファン２１ａ，２１ｂ，２８、及び、排気ファン５の周波数の値である。
【００８１】
マット紙とコート紙共に出口紙面温度において、ゾーンＺ１・Ｚ２紙面温度設定値は同じなのに排熱制御ＯＮ/ＯＦＦで比較すると、ＯＦＦ時はＯＮ時より温度が２、３度高くなっている。これは、排熱制御がＯＦＦ時は熱風が循環していないので、バーナーとしてはＯＮ時より出力は高くなる。バーナーの特性上、出力が高い時バーナー開度幅に対する燃焼量は多くなるので、出力が低い時より、炉内温度は高くなる傾向にある。よって、高い炉内を通過する印刷紙としては、温度低下が起こりにくいので、出口紙面温度において、ＯＦＦ時はＯＮ時より高くなったと考えられる。
【００８２】
脱臭装置３の立上げ時は循環ＣＤ１１が脱臭側に切替わり、脱臭装置３の立上げ時間の短縮と燃費削減を実施する。その効果により燃費が約１５％削減される、例えば排気ファン５の周波数３０Ｈｚの時に触媒後の熱電対３４が２５０℃までに昇温されるまでにガス総消費量が８．５７ｍ３から７．３２ｍ３となり１．２５ｍ３削減された。
【００８３】
なお、本発明の実施の形態は上記実施形態に何ら限定されるものではなく、本発明は、その技術的思想を逸脱しない範囲において、当該技術的範囲に属する限り、種々の改変等の形態を採り得る。
【符号の説明】
【００８４】
１・・・オフセット輪転機の乾燥脱臭装置
Ｗ・・・ウェブ
２・・・乾燥装置
Ｄ・・・乾燥ゾーン
Ｚ１，Ｚ２・・・ゾーン
Ｃ・・・冷却ゾーン
２０・・・ケーシング
２１ａ，２１ｂ・・・ファン
２１ｃ，２１ｄ・・・インバータ
２１ｅ，２１ｆ・・・圧力スイッチ
２２ａ，２２ｂ・・・バーナー
２２ｃ，２２ｄ・・・熱電対
２３ａ，２３ｂ・・・ノズル
２３ｃ・・・加熱ノズル
２４・・・ウェブ導入口
２５・・・ウェブ排出口
２６・・・隔壁
３・・・脱臭装置
４・・・排気配管
２７・・・ウェブ通過口
２８・・・ファン
２８ａ・・・インバータ
２８ｂ・・・圧力スイッチ
２８ｃ・・・熱電対
２９・・・ノズル
５・・・排気ファン
５ａ・・・インバータ
５ｂ・・・圧力スイッチ
６・・・熱交換器
７・・・浄化空気配管
８・・・配管
９・・・分岐配管
１０・・・循環風量調整ダンパー
１０ａ・・・コントロールモーター
１１・・・循環切替ダンパー
１１ａ・・・エアーシリンダー
１２・・・配管
１３・・・配管
１４・・・制御部
３０・・・バーナー
３１・・・触媒部
３２・・・ケーシング
３３・・・熱電対
３４・・・熱電対
３５・・・圧力スイッチ
３６・・・Ｚ１紙面温度センサ
３７・・・Ｚ２紙面温度センサ
３８・・・出口紙面センサ
【図１】
0006443929.tif 000002
【図２】
0006443929.tif 000003
【図３】
0006443929.tif 000004
【図４】
0006443929.tif 000005
【図５】
0006443929.tif 000006
【図６】
0006443929.tif 000007
【図７】
0006443929.tif 000008
【図８】
0006443929.tif 000009